(57)【特許請求の範囲】
【請求項１】
表示手段と、光書き込み及び画像表示機能を有する媒体の位置や状態を検知する検知手段と、前記検知手段による検知結果に従って前記表示手段の表示画面における前記媒体の表示領域に対応する領域を検知して該領域に前記媒体に表示させる表示内容を前記領域のサイズに合わせて表示させ前記媒体に対して前記媒体の前記画像表示機能による表示内容を前記表示手段の表示光により変更させる制御手段を有することを特徴とする情報表示システム。
【請求項２】
前記媒体は、前記検知手段によって検知されるためのマーカーが付与されており、前記検知手段は、前記媒体に付与されたマーカーを検出して前記媒体の位置や状態を検知することを特徴とする請求項１に記載の情報表示システム。
【請求項３】
前記媒体には、前記画像表示機能のための電源手段が設けられているとともに、該電源手段に、前記検知手段によって検知されるためのマーカーが付与されており、前記検知手段は、前記媒体の前記電源手段に付与されたマーカーを検出して前記媒体の位置や状態を検知することを特徴とする請求項１に記載の情報表示システム。
【請求項４】
前記媒体には、前記検知手段によって検知されるためのマーカーとして電磁的な通信手段が付与されており、前記検知手段は、前記マーカーからの電磁的な信号強度を検出して前記媒体の位置や状態を検知することを特徴とする請求項１に記載の情報表示システム。
【請求項５】
前記検知手段は前記表示手段上に２次元状に設けられており、前記媒体あるいは前記媒体に設けられたマーカーを２次元の位置情報として検出することを特徴とする請求項１に記載の情報表示システム。
【請求項６】
前記表示手段には複数の表示内容が重なり合って表示可能であり、前記制御手段は、前記媒体の位置により前記表示手段に表示されている複数の表示内容のうちから１以上の表示内容を特定し、該特定した表示内容を前記媒体の前記画像表示機能により表示させることを特徴とする請求項１ないし請求項５のいずれか１項に記載の情報表示システム。
【請求項７】
前記制御手段は、前記媒体の表示内容の変更に用いた前記表示手段上の表示領域について表示を消去することを特徴とする請求項１ないし請求項６のいずれか１項に記載の情報表示システム。
【請求項８】
前記制御手段は、前記表示手段上の表示を消去した表示領域について、背景とは異なる表示を一時的に行わせることを特徴とする請求項７に記載の情報表示システム。
【請求項９】
光書き込み及び画像表示機能を有する媒体の位置や状態を検知する検知手段で検知し、該検知結果に従って制御手段が表示手段の表示画面における前記媒体の表示領域に対応する領域に前記媒体に表示させる表示内容を前記領域のサイズに合わせて表示させ前記媒体に対して前記媒体の前記画像表示機能による表示内容を前記表示手段の表示光により変更させることを特徴とする情報表示方法。
【請求項１０】
前記媒体には、前記検知手段によって検知されるためのマーカーが付与されており、前記媒体に付与された前記マーカーを検出して前記媒体の位置や状態を検知することを特徴とする請求項９に記載の情報表示方法。
【請求項１１】
前記媒体には、前記画像表示機能のための電源手段が設けられているとともに、該電源手段に、前記検知手段によって検知されるためのマーカーが付与されており、前記媒体の前記電源手段に付与された前記マーカーを検出して前記媒体の位置や状態を検知することを特徴とする請求項９に記載の情報表示方法。
【請求項１２】
前記媒体には、前記検知手段によって検知されるためのマーカーとして電磁的な通信手段が付与されており、前記マーカーからの電磁的な信号強度を検出して前記媒体の位置や状態を検知することを特徴とする請求項９に記載の情報表示方法。
【請求項１３】
前記検知手段が前記表示手段上に２次元状に設けられており、前記媒体あるいは前記媒体に設けられたマーカーを２次元の位置情報として検出することを特徴とする請求項９に記載の情報表示方法。
【請求項１４】
前記表示手段には複数の表示内容が重なり合って表示可能であり、前記媒体の位置により前記表示手段に表示されている複数の表示内容のうちから１以上の表示内容を特定し、該特定した表示内容により前記媒体の前記画像表示機能の表示内容を変更することを特徴とする請求項９ないし請求項１３のいずれか１項に記載の情報表示方法。
【請求項１５】
前記媒体の前記画像表示機能による表示内容を変更した後、当該表示内容の変更に用いた前記表示手段上の表示領域について表示を消去することを特徴とする請求項９ないし請求項１４のいずれか１項に記載の情報表示方法。
【請求項１６】
前記表示手段上の表示を消去した表示領域について、背景とは異なる表示を一時的に行わせることを特徴とする請求項１５に記載の情報表示方法。
【発明の詳細な説明】
【技術分野】
【０００１】
本発明は、画像表示機能を持った媒体の表示内容を容易に取り扱うための情報表示技術に関するものである。
【背景技術】
【０００２】
従来より、表示画面に多くの情報を表示させ、画面上で表示位置を変更したり、また、それらの情報を紙にプリントアウトさせるといった、表示上の各種の操作が行われている。これらの操作は、一般にはマウスなどのポインティングデバイスやキーボードなどが用いられている。この場合、画面とポインティングデバイス等が設けられている場所が異なるため、例えば表示されている画像を動かす場合には、画面上の画像の動きとユーザが操作するポインティングデバイスの動きとが一致せず、不慣れなユーザにとって障壁となっていた。
【０００３】
また、従来より複数の情報を重ねて表示画面上に表示可能であるが、それらの情報の切替の操作が面倒であり、ユーザのストレスとなっており、より直感的なユーザインタフェースが求められている。
【０００４】
さらに、情報をプリントアウトする場合も、表示画面とプリンタとが別体であるため、表示画面とプリント結果とが一致しないこともしばしば発生している。また、その操作も別々の装置を対象とするため、煩雑であった。さらにプリントアウトした情報を表示画面に戻すためには、スキャナなどのさらに別の装置を用いなければならない。このように、紙を媒体とした表示画面との情報のやりとりは非常に煩雑であった。
【０００５】
一方、近年では電子ペーパー等と呼ばれる画像表示機能を持った媒体が開発されている。画像表示機能を実現する方法は様々であるが、いずれも、表示内容を消去して何回でも書き換えることができ、表示された内容は長時間にわたり維持し続けられる。例えば特許文献１に記載されている光書き込み型の電子ペーパーでは、例えば表示装置などで情報を表示する際の表示光を用いて情報を繰り返し書き込むことができ、一旦書き込んだ情報は消去または新たな情報が書き込まれない限り半永久的に維持される。このような性質を利用し、繰り返して利用可能な紙の代替品として注目を浴びている。
【特許文献１】特開２００２−９０７１６号公報
【発明の開示】
【発明が解決しようとする課題】
【０００６】
本発明は、上述した事情に鑑みてなされたもので、画像表示機能を持った媒体を表示画面における表示内容に対する操作に利用し、また、表示装置と媒体との間の双方向の表示内容のやりとりを可能とした情報表示システムおよび情報表示方法を提供することを目的とするものである。
【課題を解決するための手段】
【０００７】
本発明は、表示手段と、光書き込み及び画像表示機能を有する媒体の位置や状態を検知する検知手段と、前記検知手段による検知結果に従って前記表示手段の表示画面における前記媒体の表示領域に対応する領域を検知して該領域に前記媒体に表示させる表示内容を前記領域のサイズに合わせて表示させ前記媒体に対して前記媒体の前記画像表示機能による表示内容を前記表示手段の表示光により変更させる制御手段を有している。このような構成によって、例えば表示画面上の媒体が存在する位置に応じて、媒体に表示させる表示内容を、媒体のサイズに合わせた上で媒体に表示させることができる。従って、ユーザは表示手段の表示画面上で媒体を動かし、また配置するという簡単な操作によって、表示手段に表示されている内容を取り出したり、移動させることができる。このような媒体の操作は表示画面上で直接行えばよく、従来のポインティングデバイスのように別の場所での操作でないため、直感的でわかりやすい操作となる。
【０００８】
また、表示手段に複数の表示内容が重なり合って表示されている場合に、媒体の位置によって表示されている複数の表示内容のうちから１以上の表示内容を特定し、特定した表示内容により媒体の表示内容を変更することができる。表示手段に表示されている内容を媒体に表示させた後は、表示手段の表示をそのまま継続させるほか、消去するように制御してもよい。その場合、消去した表示領域について、背景とは異なる表示を一時的に行わせて、媒体への転写を使用者に視覚的に確認させるように構成することもできる。
【００１１】
検知手段による媒体の位置や状態の検知には、媒体にマーカーを付与しておき、そのマーカーを検出するように構成することができる。このマーカーは、媒体自体に設けるほか、例えば媒体に画像表示機能のための電源手段が設けられている場合には、その電源手段にマーカーを付与しておいてもよい。また、マーカーとしてＲＦＩＤタグなどの電磁的な通信手段を用いてもよい。また検知手段は、例えば表示手段上に２次元状に配置しておいて、媒体あるいは媒体に設けられたマーカーの２次元的な位置を検出するように構成することができる。
【発明の効果】
【００１２】
本発明によれば、少なくとも表示手段から媒体への表示内容の転写を、媒体を表示手段にかざすといった直接的な操作により行うことができる。従来のマウスなどのポインティングデバイスを用いた場合のように遠隔操作による煩雑さや操作感覚の違和感を払拭し、より直感的かつ簡単な操作により情報を取り扱うことができるユーザインタフェースを提供することができる。
【００１３】
さらに、表示手段と媒体との間の双方向の表示内容の転写を可能とすることによって、従来のプリンタ等では一方向しか行うことができなかった情報の転送を双方向で行うことができるようになり、情報の取り扱いに関する自由度をさらに高め、情報の利用態様を広げることができる。本発明によればこのような効果を奏するとともに、このほかにも後述するように様々な効果を有するものである。
【発明を実施するための最良の形態】
【００１４】
図１は、本発明の第１の実施の形態を示すブロック図である。図中、１１は表示部、１２は位置検出部、１３は制御部、２１は媒体、２２は位置マーカーである。表示部１１は、制御部１３の制御に従って様々なコンテンツ（表示内容）を表示することができる。このとき、例えば複数のコンテンツを重ねて表示することも可能である。この表示部１１は表示が可能であれば任意に構成することができ、例えばコンピュータの各種ディスプレイであっても、テレビジョン、プロジェクター、投写型表示装置などであってもよい。
【００１５】
位置検出部１２は、媒体２１の位置や状態を検出する。一例としては、後述するように媒体２１に位置マーカー２２を設けておき、この位置マーカー２２の位置を検出する。検出した位置マーカー２２の位置の情報から、媒体２１そのものの位置や、向き、表裏、複数の媒体間の重なりなどの媒体２１の状態を検知することができる。マーカーは、媒体２１に設けられているほか、例えば媒体２１に電力を供給する電源などに付与されているものを検出してもよい。もちろんマーカーに限らず、例えば媒体２１の特徴部分を検出するように構成することもできる。位置検出方法は任意であり、例えば、３Ｄポインタ、光干渉法、タッチパネル、上面あるいは背面から撮影した画像情報の解析、センサディスプレイ、超音波、その他これらの組み合わせや、複数の媒体２１が存在する場合にはその検出順序のログなどを利用することができる。
【００１６】
制御部１３は、位置検出部１２で検知した媒体２１の位置や状態などをもとに、表示部１１と媒体２１との対応付けを行う。そして、媒体２１の位置と対応する表示部１１の表示画面上の位置に応じて、媒体２１に対して媒体２１の表示内容を変更させる。例えば、表示部１１の表示画面に表示されている内容のうち、媒体２１が存在する領域の表示内容を媒体２１に表示させたり、あるいは、媒体２１の位置に対応するコンテンツあるいは画面全体を媒体２１の表示領域のサイズに合わせた上で、媒体２１に表示させる。このとき、表示部１１に複数のコンテンツが表示されている場合、媒体２１の位置から１以上のコンテンツを選択し、そのコンテンツ（一部を含む）を媒体２１に表示させることができる。なお、媒体２１にコンテンツを表示させる場合には、例えば制御部１３が媒体２１に対して当該コンテンツを送って表示させるほか、媒体２１にコンテンツを特定する情報を送り、媒体２１が当該コンテンツを取得するようにしたり、あるいは、外部の装置にコンテンツを媒体２１に送るように指示し、媒体２１が外部の装置から受け取るように構成することもできる。
【００１７】
さらに制御部１３は、表示部１１に表示されているコンテンツと媒体２１に表示されているコンテンツとの対応付けがなされていれば、例えば媒体２１の移動や除去などに応じて、表示部１１に表示されているコンテンツの移動や削除を行うことができる。また、例えば媒体２１が１枚のみであったり、ＩＤなどで特定できる場合には、新たに媒体２１を検出したときに対応するコンテンツを表示部１１に新たに表示させることもできる。なお、これらの場合に複数の媒体２１が重なるように配置されている場合には、そのような移動、削除、新規表示などは媒体２１間の重なり具合に応じて行うことができる。
【００１８】
なお、媒体２１が光書き込み型の媒体の場合には、媒体２１へのコンテンツの書き込みを表示部１１の表示光によって行うことができるが、制御部１３は、媒体２１へのコンテンツの書き込み時の表示制御も行う。
【００１９】
媒体２１は、例えば電子ペーパーなどのように画像表示機能を有している。具体例としては、光書き込み型の電子ペーパーや、電気泳動型の電子ペーパー、粉体ディスプレイなどを用いることができる。もちろん、電子ペーパーに限らず、画像表示機能を有していれば、ＰＤＡや携帯電話、デジタルカメラなどの機器を媒体２１として用いることも可能である。なお、以下の説明において媒体２１の画像表示機能によりコンテンツ等が表示されているとき、媒体２１にコンテンツ等が表示されていると略して述べることがある。
【００２０】
また媒体２１には、この例では位置検出部１２が位置を検出できるように位置マーカー２２が四隅に設けられている。位置マーカー２２は、位置検出部１２の検出方式に応じたマーカーが設けられる。例えば特定の色彩を施したり、反射テープを貼付するといったものでもよいし、ＬＥＤや電球などを発光させるものでもよい。さらには、画像認識を行う検出方式では、特定の形状が設けられていればよく、改めて位置マーカー２２を設けなくても媒体２１の一部を位置マーカー２２として用いることもできる。
【００２１】
さらに、位置マーカー２２を設ける部位も、図示のように四隅に設ける必要はなく、あらかじめ取り決めた位置に設ければよい。図２は、媒体２１の別の例の説明図である。図中、２３は電源部である。例えば媒体２１に電源を供給するための電源部２３が設けられている場合、図２に示すように電源部２３に位置マーカー２２を設けることもできる。同様に、媒体２１に例えばインタフェースが設けられている場合など、媒体２１に付加された構成が存在する場合、その付加された構成に位置マーカー２２を付与することもできる。このような構成では、媒体２１自体には位置マーカー２２を設けなくてよいため、媒体２１の構造をシンプルにすることができる。
【００２２】
また、この位置マーカー２２は表示部１１とともに媒体２１を利用する場合に用いるものであるため、媒体２１を単独で利用している場合には不要である。そのため、例えば位置マーカー２２を着脱式として表示部１１とともに利用する場合に媒体２１に装着して用いる構成としてもよい。
【００２３】
媒体２１を複数利用する場合には、それぞれの媒体２１の位置を特定する必要がある。そのために、例えば位置マーカー２２をそれぞれの媒体２１毎に異ならせるように構成することができる。例えば色彩をそれぞれ変更したり、反射周波数（反射色）を変更したり、またＬＥＤなどの発光体を利用する場合には発光色や点滅あるいは光量変動の周波数を変更したり、色以外にも媒体２１の一部形状を変更するなど、種々の方法が考えられる。これをそれぞれの媒体２１のＩＤとして利用することができ、それぞれの媒体２１毎の位置の特定と、表示されているコンテンツの対応付けなどを行うことができる。
【００２４】
上述の位置検出部１２と媒体２１に設けられる位置マーカー２２の具体例について、いくつか示す。図３は、位置検出部１２として光学的検出手段を用いた構成例の説明図である。この例では、表示部１１の２つの隅に光学的に位置を検出する検出手段を設けている。この２つの検出手段において位置マーカー２２からの光量を検出することによって、表示部１１の表示平面上の位置を検出することができる。この場合、位置マーカー２２としては、発光体、あるいは、反射マーカーなどを用いることができる。反射マーカーを用いた場合、特定の光源を用意しておき、反射マーカーで反射された光源からの光を位置検出部１２で受光するように構成すればよい。このような位置検出手段は、例えば特開２００２−１４７６３号公報などに記載されている構成などを用いることができる。
【００２５】
図４は、位置検出部１２を４隅に設けた構成例の説明図である。図４に示すように、位置検出部１２を４隅（あるいは３隅）に設けてもよい。ここでは一例として、位置検出部１２として電磁的な強度を検出できる検出器を配しているものとしている。また位置マーカー２２として、ＲＦＩＤタグなどのように電磁的な通信を行う素子を設けている。それぞれの位置検出部１２からＲＦＩＤタグまでの距離によって、位置検出部１２での受信強度が変化する。これを利用し、それぞれの位置検出部１２での受信強度から演算によりＲＦＩＤタグの位置を求めることができる。受信強度は数値として求めるほか、位置検出部１２の受信感度を上下させることでＲＦＩＤタグからの電磁波を検出可能な閾値および位置検出部１２間の検出順序などから位置マーカー２２の位置を特定することができる。
【００２６】
図５は、表示部１１の表示画面上に位置検出部１２を配置した構成例の説明図である。例えばタッチパネルやデジタイザなどで利用されている位置検出手法を位置検出部１２として用いることができる。例えば静電式であれば、位置マーカー２２として金属片を用い、ユーザの手と電気的に接続を図っておけばよい。また、圧電式であれば、位置マーカー２２としては位置検出部１２（表示部１１の表面）をユーザが媒体２１で押圧できる部分が備えられていればよい。さらに、磁歪式であれば、位置マーカー２２として磁石を設ければよい。さらには、図４で説明した場合と同様に、位置マーカー２２としてＲＦＩＤタグを用い、また位置検出部１２として電磁的な検出手段を２次元状に配置しておく構成でもよい。
【００２７】
もちろん図３〜図５に示したのは一例であって、位置検出部１２および対応する位置マーカー２２はこれらに限られるものではなく、種々の公知の手法を適用することができる。
【００２８】
次に、本発明の第１の実施の形態における動作の一例について、いくつかの具体例を用いながら説明する。図６は、本発明の第１の実施の形態において表示部に表示されているコンテンツを媒体に転写する際の動作の一例の説明図である。図６に示した例では、表示部１１がコンピュータのディスプレイであり、媒体２１をディスプレイの表示画面上にかざしてコンテンツを媒体２１に転写するものとして示している。なお、媒体２１は光書き込み型電子ペーパーであるものとする。
【００２９】
図６（Ａ）には表示部１１に画像が表示されている。この表示部１１の表示画面に、図６（Ｂ）に示すように媒体２１をかざす。すると、媒体２１に付加されている位置マーカー２２の位置を位置検出部１２（この例では表示画面の上部左右にセンサが設けられている）により検出する。これによって媒体２１の位置や角度、表裏などの状態を検知することができ、媒体２１の表示領域が表示部１１の表示画面におけるどのような領域に対応するかを検知することができる。このとき、例えば媒体２１の表裏が逆になっているなど、媒体２１の状態についても検知することができ、媒体２１が正しい状態にない場合には以降の処理が行えないように制御することもできる。
【００３０】
ここで例えばユーザが媒体２１に対して書き込みを指示すれば、媒体２１の電源部２３から媒体に電力が供給され、表示部１１の表示画面に表示されているコンテンツがその表示光により媒体２１に書き込まれる。あるいは、制御部１３に対してユーザが指示を行い、制御部１３が媒体２１に対して書き込みを指示してもよい。また、書き込みの際には、少なくとも媒体２１の表示領域と重なる表示部１１の表示領域について、媒体２１への書き込みに最適な表示画像を表示するように制御部１３が表示部１１を制御してもよい。
【００３１】
このようにして、図６（Ｃ）に示すように、媒体２１が表示部１１の表示領域と重なっていた部分の画像が媒体２１に転写される。転写された後は、媒体２１の特性上、画像はそのまま維持される。また、このような書き込みによって、当該媒体２１とその媒体２１に書き込んだコンテンツとを対応づけておくことができる。
【００３２】
図７は、本発明の第１の実施の形態において表示部に表示されているコンテンツを媒体に転写した後の表示部１１の表示例の説明図である。図６（Ｃ）に示した例では、表示部１１の媒体２１と重なっている領域の画像を媒体２１に転写した後でも、表示部１１の表示は変更していない。しかしこれに限らず、媒体２１に転写した表示領域の画像を、転写と同時に消去することもできる。このとき、例えば図７（Ａ）に示すように媒体２１への転写後、図７（Ｂ）に示すように媒体２１へ転写した表示領域を背景とは異なる色で表示したり、枠を表示することができる。なお、図７では背景部分を白く示し、媒体２１への転写部分にはハッチングを施して示している。さらに、次第に背景画像に変えてゆき、ある程度の時間後に図７（Ｃ）に示すように背景画像となるようにすることもできる。このような表示方法を採用することによって、使用者に対して転写する行為を視覚的に確認させることができる。
【００３３】
図８は、本発明の第１の実施の形態において表示部に表示されているコンテンツを媒体に転写する際の動作の別の例の説明図である。図８に示した例は、図６に示した例とほぼ同様であるが、表示部１１に表示されているコンテンツを媒体２１の表示領域のサイズに合わせてから書き込む場合を示している。
【００３４】
図６に示した例と同様に、図８（Ａ）に示すように、表示部１１に画像が表示されている状態で、表示部１１の表示画面に媒体２１をかざす。すると、媒体２１に付加されている位置マーカー２２の位置を位置検出部１２により検出し、媒体２１の位置や角度、表裏などの状態を検知する。これによって、媒体２１の表示領域が表示部１１の表示画面におけるどのような領域に対応するかを検知することができる。
【００３５】
ここで例えばユーザが制御部１３に対して書き込みを指示すると、制御部１３は表示部１１に表示されていて媒体２１に書き込むべきコンテンツを媒体の表示領域のサイズに変換するとともに変換したコンテンツを媒体２１の表示領域に対応する表示部１１の表示領域に表示させる。それとともに、媒体２１の電源部２３から媒体に電力が供給され、表示部１１の表示画面に表示されているコンテンツがその表示光により媒体２１に書き込まれる。なお、ユーザが媒体２１に対して書き込みを指示した場合は、その指示を制御部１１に伝えることによって、同様にコンテンツの媒体２１への書き込みを行うことができる。
【００３６】
このようにして、図８（Ｂ）に示すように、表示部１１に表示されていたコンテンツの全体が媒体２１の表示領域にあわせて変換され、媒体２１に転写される。転写された後は、媒体２１の特性上、画像はそのまま維持される。また、このような書き込みによって、当該媒体２１とその媒体２１に書き込んだコンテンツとを対応づけておくことができる。
【００３７】
なお、この例の場合にも、図７で説明したように媒体２１にコンテンツを転写した後は、表示部１１に表示されていた当該コンテンツを消去するように制御してもよい。また、消去の際に、消去した領域についてある程度の時間だけ表示形態を変更するなどといった表示制御も可能である。
【００３８】
図９は、本発明の第１の実施の形態において媒体に表示されているコンテンツを表示部に転写する際の動作の別の例の説明図である。図９に示す例では、上述の図６，図８の例とは逆に、媒体２１に表示されているコンテンツを表示部１１の表示画面に表示させる場合を示している。例えば上述の図６，図８に示す例のようにして媒体２１にコンテンツ等を書き込んだ場合、その媒体２１と書き込んだコンテンツ等との対応付けを図ることができ、これを例えば制御部１３のメモリなどに保存しておくことができる。
【００３９】
図９（Ａ）に示すようにコンテンツ等が書き込まれた媒体２１を、図９（Ｂ）に示すように表示部１１にかざす。すると、位置検出部１２が媒体２１に設けられている位置マーカー２２を検出し、媒体２１の位置や角度、その他の状態を検知する。このとき、例えばそれぞれの媒体２１によって位置マーカー２２を異ならせておけば、媒体２１を特定することもできる。
【００４０】
媒体２１が特定できたら、以前に当該媒体２１に書き込んだコンテンツ等を、書き込み時に保存しておいた媒体２１と書き込んだコンテンツ等との対応付けからわかる。このコンテンツ等を、媒体２１がかざされた表示部１１の表示画面上の位置（媒体２１の表示領域に対応する領域）に表示する。このようにして、媒体２１に表示されているコンテンツ等を表示部１１に転写することができる。
【００４１】
なお、上述の説明では、媒体２１の特定を位置マーカー２２によって行うものとしている。もちろん、媒体２１が１つしか用いられない場合には媒体２１の特定は必要ない。また、媒体２１の特定方法は位置マーカー２２に限らず、種々の識別方法を用いることができる。例えば、それぞれの媒体２１を特定するためのＲＦＩＤタグやバーコードなどが各媒体２１に付与されている場合には、それらを読み取る手段を別途設け、それぞれの媒体２１を特定してもよい。その場合には、コンテンツの書き込み時にも媒体２１を特定する情報を取得しておき、書き込んだコンテンツ等と対応づけを行っておけばよい。
【００４２】
なお、媒体２１にコンテンツ等の一部のみを転写していた場合には、表示部１１への転写の際にも対応するコンテンツの一部を切り出して表示部１１に表示する。あるいは、コンテンツ等の全体を媒体２１の表示領域に対応する表示部１１の領域をはみ出して表示するように構成してもよい。
【００４３】
このような表示部１１への書き込み機能を用いることによって、例えば媒体２１を表示部１１の表示画面上で移動させると、それに追随させて表示部１１の表示位置を移動させるといったことも可能となる。これによって、ユーザは媒体２１を実際に表示画面上で移動するという直接的な方法でコンテンツ等の表示位置を移動させ、また表示位置を決めることができる。
【００４４】
図１０は、本発明の第１の実施の形態において媒体に表示されているコンテンツを表示部に転写した後の媒体２１の表示例の説明図である。図９（Ｃ）に示す例では、媒体２１に表示されていたコンテンツを表示部１１に表示した後、媒体２１の表示は変更していない。しかしこれに限らず、表示部１１に転写した後に媒体２１の表示を消去することもできる。この場合、例えば図１０（Ａ）に示すように媒体２１を表示部１１にかざし、図１０（Ｂ）に示すように表示部１１へ転写した後、図１０（Ｃ）に示すように媒体２１の表示を消去する制御を行う。なお、この媒体２１の表示消去の制御は、例えば媒体２１として自己書換型の電子ペーパーなどを用いている場合には、上述のように表示部１１に転写した画像を表示させた後に、媒体２１の表示を消去すればよい。しかし光書き込み型の電子ペーパーの場合には、表示部１１の表示光によって媒体２１の表示を消去する必要があるため、表示部１１に媒体２１の表示を消去するための表示制御を行い、その後に、媒体２１から転写されたコンテンツを表示するように制御することになる。また、媒体２１の表示の消去に伴って、その媒体２１と書き込んだコンテンツ等との対応付けを変更したり、媒体２１がコンテンツそのものあるいはコンテンツを特定する情報を記憶している場合には、その記憶されている情報も更新する。
【００４５】
このようにして、媒体２１の表示を消去することによって、使用者に媒体２１に表示されているコンテンツが表示部１１に転写されたことを視覚的に確認させることができる。なお、転写後に媒体２１を表示部１１から取り去れば、図１０（Ｄ）に示すように、転写されたコンテンツが表示部１１に表示されている。また、媒体２１の表示は消去されたままとなる。この例の場合も、上述の図７に示した例と同様に、表示部１１に転写された表示領域について一時的に表示形態を変更し、転写されたことを使用者に視覚的に確認させるように表示制御を行うこともできる。
【００４６】
図１１は、本発明の第１の実施の形態において複数の媒体が重ねて配置された場合の表示部への転写の一例の説明図である。図９を用いて説明したように、媒体２１に表示されているコンテンツを表示部１１に転写して表示することができるが、媒体２１が複数用いられた場合、それらの重なり具合を判別して、表示部１１に表示することが望まれる。図１１ではそのような例を示している。
【００４７】
ここでは、図１１（Ａ）〜（Ｄ）の４枚の媒体２１−１〜４を図１１（Ｅ）に示すように重ねて表示部１１にかざした場合を想定している。それぞれの媒体２１を特定する方法としては、図９で説明したように種々の方法を採用することができる。重なり具合は、例えば各媒体２１−１〜４の四隅に位置マーカー２２が設けられている場合、重なりによって下になった媒体の位置マーカー２２の一部が検出できなくなることを利用して判断することができる。すなわち、最も上の媒体２１−４については四隅の４つの位置マーカー２２とも検出できるが、一部が重なっているその下の媒体２１−１〜３では、１〜２個の位置マーカー２２が上の媒体で隠されている。また、１つの隅だけでも隠されていない部分があれば位置マーカー２２を検出することができ、媒体のサイズがわかっていればどこに隅があって隠されているのかを判断することができる。
【００４８】
例えば媒体２１−３は右上の位置マーカー２２が検出できないが、他の３つの位置マーカー２２が検出でき、右上の位置マーカー２２の位置も推定できる。この右上の位置マーカー２２が存在すると推定される位置は、媒体２１−４が存在する領域であるので、媒体２１−３は媒体２１−４の下に重ねられていることがわかる。このようにして各媒体２１−１〜４について、重なりを判断することができる。
【００４９】
このように各媒体２１−１〜４の重なりが検知できたら、その重なりに従ってそれぞれの媒体２１−１〜４に表示されているコンテンツを表示部１１に重ねて表示すればよい。これによって、図１１（Ｆ）に示すような表示部１１の表示画面が得られる。
【００５０】
図１２は、本発明の第２の実施の形態を示すブロック図である。図中、図１と同様の部分には同じ符号を付して説明を省略する。１４は情報取得部、２４は記憶部である。この第２の実施の形態では、媒体２１に記憶部２４を有しており、この記憶部２４に情報を格納し、また記憶部２４に格納されている情報を取得する情報取得部１４を設けた点で第１の実施の形態と異なっている。
【００５１】
上述のいくつかの例においても説明したＲＦＩＤタグなどのように、情報の記憶機能と通信機能を兼ね備えた記憶部２４を媒体２１に搭載することができる。この実施の形態では、記憶部２４は例えば媒体ＩＤのような固定の情報を保持するだけでなく、情報が書き換え可能であるものとする。また、通信機能については、上述のＲＦＩＤタグのように通信を行う機能を記憶部２４自体が有していてもよいし、例えば位置マーカー２２をＬＥＤなどで構成した場合には、そのＬＥＤを用いて通信を行ってもよいし、別途、通信部を媒体２１に設けてもよい。これに対応して、情報取得部１４についても、媒体２１の通信機能に対応した通信手段を有し、あるいは、位置検出部１２の一部機能を共用して構成することができる。
【００５２】
このような構成においては、媒体２１の記憶部２４に各種の情報を記憶させておくことができる。上述の媒体２１を特定するためのＩＤを記憶させておくこともその一つである。さらに、媒体２１に表示しているコンテンツ自体、あるいはコンテンツを特定するための特定情報を記憶させておくことができる。上述の第１の実施の形態では、あらかじめ媒体２１へのコンテンツの書き込みを行った時に、当該媒体２１とコンテンツとの対応付けを行い、その情報を保存しておいた。しかし、媒体２１に設けられている記憶部２４を利用すれば、コンテンツとの対応付けを制御部１３で保存しておかなくてもよいし、また、異なる表示部１１にかざした場合でも媒体２１に表示されているコンテンツを特定することができる。
【００５３】
図１３は、本発明の第２の実施の形態において表示部に表示されているコンテンツを媒体に転写する際の動作の一例の説明図である。図中、１５，２５はアンテナである。図１３に示した例では、媒体２１と情報取得部１４との間の通信を電波によって行う例を示している。そのための情報取得部１４の一部となるアンテナ１５および媒体２１側のアンテナ２５を図示している。
【００５４】
図１３（Ａ）に示すように表示部１１に画像が表示されている状態で、表示部１１の表示画面に、図１３（Ｂ）に示すように媒体２１をかざす。すると、媒体２１に付加されている位置マーカー２２の位置を位置検出部１２により検出する。これによって媒体２１の位置や角度、その他の状態を検知することができ、媒体２１の表示領域が表示部１１の表示画面におけるどのような領域に対応するかを検知することができる。
【００５５】
ここで例えばユーザが媒体２１への書き込みを指示すれば、上述の図６，図８で説明したようにして、表示部１１の表示画面に表示されているコンテンツが媒体２１に書き込まれる。これによって、図１３（Ｃ）に示すように、媒体２１が表示部１１の表示領域と重なっていた部分の画像が媒体２１に転写される。
【００５６】
このとき、情報取得部１４は媒体２１と通信を行い、媒体２１に書き込まれたコンテンツそのもの、あるいは、コンテンツを特定するための特定情報を媒体２１に送り、媒体２１内の記憶部２４に記憶させる。特定情報は、例えばコンテンツのファイル名やアドレス（ＵＲＬ）等、コンテンツを特定できる情報であればどのような情報でもよい。また、例えばコンテンツの一部を切り出して媒体２１に書き込んで表示させた場合には、その切り出した領域に関する情報も記憶部２４に記憶させておく。このほかに書き込み日時や書き込みを行った装置ＩＤなど、種々の情報を媒体２１の記憶部２４に記憶させてもよい。
【００５７】
なお、媒体２１におけるコンテンツの表示は、媒体２１が光書き込み型の電子ペーパーの場合には上述の図６，図８に示した例のように表示部１１の表示光により書き込みを行うことができるが、自己書き換え型の電子ペーパーなどの媒体２１の場合には、情報取得部１４と媒体２１との間の通信機能を利用して、媒体２１が表示すべきコンテンツを情報取得部１４から媒体２１に転送し、媒体２１において書き込みを行うように構成することができる。あるいは、例えば媒体２１が携帯電話やＰＤＡの通信機能のように、さらに高機能の通信機能を有している媒体２１の場合には、情報取得部１４はコンテンツを特定するための特定情報のみを媒体２１へ転送し、媒体２１が特定情報に従って例えばネットワークを通じて外部からコンテンツを取得して表示するように構成することもできる。
【００５８】
図１４は、本発明の第２の実施の形態において媒体に表示されているコンテンツを表示部に転写する際の動作の別の例の説明図である。図１４に示す例では、上述の図１３の例とは逆に、媒体２１に表示されているコンテンツを表示部１１の表示画面に表示させる場合を示している。例えば上述の図１３で説明したようにして媒体２１にコンテンツ等を書き込んだ場合、そのコンテンツそのもの、あるいはそのコンテンツを特定するための特定情報が記憶部２４に記憶されている。
【００５９】
図１４（Ａ）に示すようにコンテンツ等が書き込まれた媒体２１を表示部１１にかざす。すると、位置検出部１２が媒体２１に設けられている位置マーカー２２を検出し、媒体２１の位置や角度、その他の状態を検知する。このとき、情報取得部１４は媒体２１と通信を行い、媒体２１が表示しているコンテンツそのものあるいはコンテンツを特定するための特定情報を取得する。そして、コンテンツそのものを取得した場合には、取得したコンテンツを表示部１１の表示画面のうち媒体２１がかざされている領域に表示する。あるいは、媒体２１から特定情報を取得した場合には、その特定情報に従ってコンテンツを取得し、同様に表示部１１の表示画面のうち媒体２１がかざされている領域にコンテンツを表示する。コンテンツの取得は、システム内に記憶されているコンテンツを読み出すほか、例えばネットワークなどを通じて外部から取得してもよい。このようにして、媒体２１に表示されているコンテンツ等が、図１４（Ｂ）に示すように表示部１１に転写されることになる。
【００６０】
このように媒体２１に表示されているコンテンツを表示部１１に転写する場合には、制御部１３は上述の第１の実施の形態のように媒体２１にどのようなコンテンツが表示されているのかをあらかじめ知っておく必要がない。従って、例えば第１の表示部で媒体２１に書き込んだコンテンツを、別の第２の表示部に転写するといったことも可能である。
【００６１】
なお、上述の図１１で説明した例のように、複数の媒体２１が重なり合ってかざされた場合などについても、それぞれの媒体２１との通信を行うことによって、それぞれの媒体２１に書き込まれているコンテンツそのものを取得でき、あるいは特定情報を取得してコンテンツにアクセスすることができ、図１１に示したように重なりを判断して表示部１１に表示することができる。
【００６２】
さらに、このような表示部１１への転写機能を用いて、例えば媒体２１の移動による表示部１１でのコンテンツの移動表示が可能であることや、その他、第１の実施の形態における各種の変形は、この第２の実施の形態においても同様に行うことができる。
【００６３】
図１５は、本発明の応用例の説明図、図１６は、同じく操作状態の一例を示す平面図である。図中、３１はテーブル、３２はプロジェクター、３３は送受信ユニットである。この応用例では、表示部１１をテーブル３１とプロジェクター３２により構成した例を示しており、プロジェクター３２によって表示画像をテーブル３１の天板の背面から投射する一種の投写型の表示装置である。テーブル３１の四隅には位置検出部１２が設けられており、また、周囲には媒体２１との通信を行うための送受信ユニット３３が設けられ、情報取得部１４の一部として機能する。
【００６４】
このような構成において、上述の第１または第２の実施の形態で説明したようにして、テーブル３１に表示されているコンテンツを媒体２１に転写し、また、媒体２１に表示されているコンテンツをテーブル３１の表示面に転写することができる。その状態を図１６に示している。太枠が媒体２１を示しており、細枠がテーブル３１の表示面に転写あるいは媒体２１に転写したコンテンツを示している。例えば「Ａ」で示したコンテンツのように複数の位置に同じコンテンツを表示させたり、「Ｄ」、「Ｅ」、「Ｆ」で示したコンテンツのように、重なりを持った表示も媒体２１の重なりに応じて行うことができる。さらに、「Ｘ」、「Ｙ」、「Ｚ」等のコンテンツは、テーブル３１にのみ表示されているコンテンツである。例えばテーブル３１の表示面に加筆訂正することも可能であり、従来から開発されている種々の手法、例えばタッチパネルやデジタイザの技術、あるいは画像認識による筆跡追跡の技術などを適用することもできる。
【００６５】
このようなテーブル３１を用い、媒体２１をテーブル３１に載置してテーブル３１の表示面から媒体２１への転写、あるいは逆に媒体２１からテーブル３１の表示面への転写を行うことができ、コンテンツを可視化した状態で両者間で情報の転写を行うことができる。また、コンテンツの配置などは媒体を表示させたい位置に載置するという、直接的な操作で行うことができる。そのため、ユーザにとって非常にわかりやすいユーザインタフェースを提供することができる。
【００６６】
このようなテーブル型の表示部１１を用い、大画面上で例えば情報検索と情報の整理を行い、整理された情報をそれぞれ媒体２１に転写する。またさらに媒体２１の並べ替えや取捨選択などで所望の情報を取り出したり、情報の傾向を把握するといったことができる。さらに、情報を転写した媒体を他のコンピュータのディスプレイや、モバイル機器、ＰＤＡ情報端末、プロジェクター、デジタルＴＶ、プリンターに近づけると、媒体２１に表示されているコンテンツが近づけた機器に表示させ、もしくは印字させることができる。
【００６７】
図示したテーブル型のような大画面の構成では、複数のユーザが同じ表示画面で作業を行うことができ、例えば会議などを行いながら媒体２１により情報を直接的に取り扱うことができるようになる。
【００６８】
ここではテーブル型の表示部１１の例を示し、また、上述の第１，第２の実施の形態ではコンピュータのディスプレイ等を想定して記載したが、本発明はこれらに限られるものではなく、上述のような様々な機器に対して応用することができる。また媒体２１も、電子ペーパーに限らず、携帯電話やＰＤＡ、デジタルカメラなど、あらゆる表示機能を有する機器を媒体として利用することができる。
【図面の簡単な説明】
【００６９】
【図１】本発明の第１の実施の形態を示すブロック図である。
【図２】媒体２１の別の例の説明図である。
【図３】位置検出部１２として光学的検出手段を用いた構成例の説明図である。
【図４】位置検出部１２を４隅に設けた構成例の説明図である。
【図５】表示部１１の表示画面上に位置検出部１２を配置した構成例の説明図である。
【図６】本発明の第１の実施の形態において表示部に表示されているコンテンツを媒体に転写する際の動作の一例の説明図である。
【図７】本発明の第１の実施の形態において表示部に表示されているコンテンツを媒体に転写した後の表示部１１の表示例の説明図である。
【図８】本発明の第１の実施の形態において表示部に表示されているコンテンツを媒体に転写する際の動作の別の例の説明図である。
【図９】本発明の第１の実施の形態において媒体に表示されているコンテンツを表示部に転写する際の動作の別の例の説明図である。
【図１０】本発明の第１の実施の形態において媒体に表示されているコンテンツを表示部に転写した後の媒体２１の表示例の説明図である。
【図１１】本発明の第１の実施の形態において複数の媒体が重ねて配置された場合の表示部への転写の一例の説明図である。
【図１２】本発明の第２の実施の形態を示すブロック図である。
【図１３】本発明の第２の実施の形態において表示部に表示されているコンテンツを媒体に転写する際の動作の一例の説明図である。
【図１４】本発明の第２の実施の形態において媒体に表示されているコンテンツを表示部に転写する際の動作の別の例の説明図である。
【図１５】本発明の応用例の説明図である。
【図１６】本発明の応用例における操作状態の一例を示す平面図である
【符号の説明】
【００７０】
１１…表示部、１２…位置検出部、１３…制御部、１４…情報取得部、１５…アンテナ、２１…媒体、２２…位置マーカー、２３…電源部、２４…記憶部、２５…アンテナ、３１…テーブル、３２…プロジェクター、３３…送受信ユニット。
【図１】
0004618401.tif 000002
【図２】
0004618401.tif 000003
【図３】
0004618401.tif 000004
【図４】
0004618401.tif 000005
【図５】
0004618401.tif 000006
【図６】
0004618401.tif 000007
【図７】
0004618401.tif 000008
【図８】
0004618401.tif 000009
【図９】
0004618401.tif 000010
【図１０】
0004618401.tif 000011
【図１１】
0004618401.tif 000012
【図１２】
0004618401.tif 000013
【図１３】
0004618401.tif 000014
【図１４】
0004618401.tif 000015
【図１５】
0004618401.tif 000016
【図１６】
0004618401.tif 000017